(57)【要約】      （修正有）【課題】制御要素によって調整が可能である複数の構成要素を備える手術台を操作するための方法及び装置を提供する。【解決手段】少なくとも第１の制御要素１４〜２４を動かすことにより、少なくとも第１の構成要素３２〜４６を調整するための少なくとも第１の駆動機構の第１の動作が実行される。第２の制御要素２６を動かすことにより、第１の制御要素１４〜２４を動かすことにより実行された第１の動作が自動的に完全に逆転される。【選択図】図１ｂ
2014204974.tif 000002
【特許請求の範囲】
【請求項１】
制御要素（１４〜２８）によって調整が可能である複数の構成要素（３２〜４６）を備え、
少なくとも第１の制御要素（１４〜２４）を動かすことにより、少なくとも第１の構成要素（３２〜４６）を調整するための少なくとも第１の駆動機構の第１の動作が実行され、
第２の制御要素（２６）を動かすことにより、前記第１の制御要素（１４〜２４）を動かすことにより実行された前記第１の動作が自動的に完全に逆転されることを特徴とする手術台を操作するための方法。
【請求項２】
前記第１の動作は、第２の動作により自動的に完全に逆転され、その間に前記第１の駆動機構及び／又は前記第１の構成要素（３２〜４６）が前記第１の動作を実行する場合に対する動きの逆順を自動的に完全に実行する請求項１に記載の方法。
【請求項３】
第３の制御要素（１４〜２４）を動かすときに、前記第１の構成要素（３２〜４６）及び／又は少なくとも第２の構成要素（３２〜４６）を調整するための少なくとも第２の駆動機構の少なくとも第３の動作が実行され、
前記第２の制御要素（２６）を動かすことにより、前記第１の動作と前記第３の動作が自動的に完全に逆転される請求項１又は２に記載の方法。
【請求項４】
前記第１の制御要素（１４〜２４）が動かされることにより、前記第１の動作が実行され、
前記第１の制御要素（１４〜２４）が動かされた後に前記第３の制御要素（１４〜２４）が動かされることにより、前記第１の動作の後に前記第３の動作が実行され、
前記第２の制御要素（２６）が一度だけ動かされたときに、前記第３の動作が自動的に完全に逆転され、
前記第２の制御要素（２６）がもう一度だけ動かされたときに、前記第１の動作が自動的に完全に逆転される請求項３に記載の方法。
【請求項５】
前記第１の制御要素（１４〜２４）が動かされることにより、前記第１の動作が実行され、
前記第１の動作が実行されている間に前記第３の制御要素（１４〜２４）が動かされることにより、前記第３の動作の少なくとも一部が前記第１の動作の間に実行され、
前記第２の制御要素（２６）が動かされたときに、前記第１の動作と前記第３の動作が少なくとも部分的に同時に逆転される請求項３又は４に記載の方法。
【請求項６】
第４の制御要素（２８）を動かすことにより、以前に自動的に完全に逆転された前記動作が繰り返して実行され、及び／又は第４の制御要素（２８）を動かすことにより、以前に自動的に完全に逆転された前記動作が繰り返して完全に実行される請求項１から５の何れか一項に記載の方法。
【請求項７】
動作が逆転されるときに、前記構成要素（３２〜４６）の移動の動きの完全な逆順がもたらされるように、前記動作を実行するために制御される駆動機構が自動的に制御される請求項１から６の何れか一項に記載の方法。
【請求項８】
それぞれの動作が実行されるときに、駆動機構の従動軸、複数の駆動機構の従動軸、従動構成要素、及び／又は複数の従動構成要素（３２〜４６）の角度位置の変更の時間的経過及び／又は角度位置の変更の速度の時間的経過が情報として検出されると共に保存され、前記動作が自動的に完全に逆転されるときに、前記駆動機構は、逆転される前記動作に対する動きの完全な逆順を自動的に実行するように、保存された前記情報に基づいて制御される請求項１から７の何れか一項に記載の方法。
【請求項９】
それぞれの動作が実行されるときに、駆動機構としての役割を果たすステッパ電動機のステップの順序及び／又はステップの順序の時間的経過が情報として検出されると共に保存され、前記動作が自動的に完全に逆転されるときに、前記ステッパ電動機は、ステップの逆順及び／又は回転の反対方向を有する、保存された前記情報に基づいて制御される請求項１から８の何れか一項に記載の方法。
【請求項１０】
それぞれの動作が実行されるときに、駆動機構としての役割を果たすリニア駆動の調整動作、調整移動、前記調整移動の時間的経過、調整速度、及び／又は前記調整速度の時間的経過が情報として検出されると共に保存され、前記動作が逆転されるときに、前記リニア駆動は、少なくとも１つの前記構成要素が自動的に完全に逆転される前記動作に対する動きの逆順を実行するように、保存された前記情報に基づいて制御される請求項１から９の何れか一項に記載の方法。
【請求項１１】
更に又はその代わりに、前記駆動機構の駆動の期間及び／又は前記駆動機構のために駆動された速度段が情報として検出されると共に保存される請求項８から１０の何れか一項に記載の方法。
【請求項１２】
少なくとも１つの前記駆動機構及び／又は複数の前記駆動機構は、前記制御要素（１４〜２４）を動かすことにより行われた操作入力に従属する制御機構により制御される請求項１から１１の何れか一項に記載の方法。
【請求項１３】
前記制御機構は、実行された前記動作及び／又は実行された複数の前記動作のパラメータを保存する請求項１２に記載の方法。
【請求項１４】
前記第１の制御要素（１４〜２４）が動かされるときに、いくつかの動作が実行され、前記第２の制御要素（２６）が動かされるときに、いくつかの前記動作が逆順で自動的に完全に逆転される請求項１から１３の何れか一項に記載の方法。
【請求項１５】
制御要素によって調整が可能である複数の構成要素（３２〜４６）を備える手術台を操作するための装置であって、
前記装置（１２）は、少なくとも第１の制御要素（１４〜２４）を備え、その駆動に際して手術台（３０）の少なくとも第１の構成要素（３２〜４６）を調整するための少なくとも第１の駆動機構の第１の動作が実行され、
前記装置（１２）は、第２の制御要素（２６）を備え、その駆動に際して前記第１の制御要素（１４〜２４）を動かすことにより実行された前記第１の動作が自動的に完全に逆転されることを特徴とする手術台を操作するための装置。
【発明の詳細な説明】
【技術分野】
【０００１】
本発明は、制御要素による調整が可能である複数の構成要素を有する手術台を操作するための方法及び装置に関する。
【背景技術】
【０００２】
手術台に横たわる患者の手術の間、手術を容易にするために患者の位置が幾度か変更される。ここで、患者が以前から既に想定していた位置に患者を配置することが頻繁に必要である。同様に、２つ以上の位置の間の反復する変更が手術の間に必要であるかもしれない。
【０００３】
独国特許出願公開第１９９５５１１６号明細書により、電動で調整が可能である構成要素を有し、手術台支柱からの取り外しが可能である患者支持面の駆動を制御するための、エネルギ源と制御手段と制御パネルとを備える制御機構が認識される。制御パネルは、手術台支持面を輸送するための輸送台車に統合される。
【０００４】
独国特許出願公開第１０２００７０６２２００号明細書により、制御要素による調整が可能である複数の構成要素を有する手術台が認識される。制御要素の少なくともいくつかの状態及び／又は状態変更がセンサにより検出され、センサにより生成された信号が処理装置に提供される。
【０００５】
独国特許出願公開第１０２００５０５４２３０号明細書により、手術台と制御パネルとの間の双方向性の赤外線データ通信のための方法及び装置が認識される。手術台と制御パネルは両者とも赤外線データ通信のユーザであり、それぞれが赤外線送信機と赤外線受信機とを備える。
【０００６】
独国特許出願公開第１０２００５０５４２２３号明細書により、調整が可能である患者支持面が移動自在に取り付けられた手術台支柱を有する手術台を調整するための装置が認識される。装置は、手術台の構成要素を調整するための調整コマンドを入力するための制御パネルを備える。調整コマンドは、制御パネルから調整が可能である患者支持面に直ちに送信される。
【０００７】
独国特許出願公開第１０２００５０５３７５４号明細書により、相互に相関して調整が可能であるいくつかの部分を備え、手術台の患者支持面を調整するための装置が認識される。調整が可能である部分の少なくともいくつかは、関係する部分を調整するために制御が可能である作動機に接続される。入力装置は、患者支持面に横たわる患者の身体部分（body part）又は身体部分（body section）の位置の調整と関連付けられた、身体部分に関連する調整コマンド（body part-related adjusting command）を入力するための手段を有する。
【発明の概要】
【発明が解決しようとする課題】
【０００８】
しかしながら、いくつかの手術のために、手術台の構成要素の対応する調整により、患者の位置を患者により以前から既に想定されていた位置に復元することは、特に、この位置が１つ以上の制御要素によって比較的に精巧に確立されていた場合は好ましい。
【０００９】
本発明は、手術台を操作するための方法及び装置を明示することを目的とし、これにより、手術台の調整可能な構成要素の位置を、この位置が制御要素によって変更された後、簡単な方法で復元することが容易となる。
【課題を解決するための手段】
【００１０】
この目的は、請求項１の特徴を有する手術台を操作するための方法、及び独立装置請求項の特徴を有する装置により解決される。本発明の有利な発展は従属項に明示される。
【００１１】
手術台を操作するための創造性のある方法では、少なくとも第１の構成要素を調整するための少なくとも第１の駆動機構の第１の動作は、少なくとも第１の制御要素を動かすことにより実行される。更に、第２の制御要素を動かすことにより、第１の制御要素を動かすことにより実行された第１の動作が自動的に完全に逆転される。その結果として、実行された動作に先立って設定された手術台の調整可能な構成要素の位置は、外科医又は助手により構成要素の位置が精巧な方法で再設定されること無しに、単に第２の制御要素を動かすことにより容易に復元される。このように、手術台の簡単で安全な操作が保証される。第１の動作の間に実行された構成要素の移動を自動的に逆転することにより、支持面に横たわる患者にとって都合の悪いこれらの構成要素の動作も回避される。
【００１２】
特に、第１の動作が第２の動作により自動的に完全に逆転される間に第１の駆動機構及び／又は第１の構成要素が第１の動作を実行する場合に対する動きの逆順を自動的に完全に実行する場合に有利である。動きの逆順により、特に、第１の動作の間に患者の正確な逆の動きに一致する結果として、患者を危険に晒す移動が予期されないように、構成要素の移動と患者の移動が保証される。
【００１３】
更に、第３の制御要素が動かされて第１の構成要素及び／又は少なくとも第２の構成要素を調整するための少なくとも第２の駆動機構の少なくとも第３の動作が実行される場合、及び第２の制御要素を動かすことにより第１の動作と第３の動作が自動的に完全に逆転される場合に有利である。その結果として、いくつかの実行された動作が簡単な方法で自動的に完全に逆転されるように、第１の制御要素と第３の制御要素を動かすことによりもたらされた患者の位置の変更は、単に第２の制御要素を動かすことにより自動的に完全に逆転され、これにより、患者の位置だけでなく以前から既に設定されていた手術台の構成要素の位置も簡単な方法で復元される。
【００１４】
ここで、第１の動作と第３の動作は交互に実行され、第１の動作の後に第３の動作が実行される。第２の制御要素を一度だけ動かすときに、好ましくは第４の動作により、第３の動作は自動的に完全に逆転される。第２の制御要素をもう一度だけ動かすときに、好ましくは第２の動作により、第１の動作は自動的に完全に逆転される。その結果として、いくつかの連続的に実行された動作は、第２の制御要素の反復する駆動により自動的に段階的に逆転され、これにより、患者にとって不適当である手術台の構成要素の移動が実行されないことが想定されるように、第１の動作と第３の動作によりもたらされた患者の移動が逆の方向で実行される。
【００１５】
その代わりに又は更に、第１の動作が実行されている間に第３の制御要素が動かされ、その結果として、第３の動作の少なくとも一部は、その間、即ち、第１の動作に同時に実行される。第２の制御要素が動かされるときに、好ましくは第２の動作と第４の動作により、第１の動作と第３の動作が逆転されるように、第１の動作と第３の動作は、少なくとも一部が同時に、動きの逆順で実行される。このように、以前から既に設定されていた位置は、その位置がいくつかの操作動作により変更された後、患者にとって優しい方法で自動的に復元される。
【００１６】
特に、第４の制御要素を動かすことにより、完全に以前に逆転された動作が反復して実行される場合、又は第４の制御要素を動かすことにより、完全に以前に逆転された動作が反復して完全に実行される場合に有利である。このように、２つの異なる位置の間で切り替えることが非常に容易となるように、逆転された動作は再び自動的に実行される。更に、従って、動作が不注意に逆転されたときに、動作が再び容易に実行されることが達成される。動作の自動的で完全な復元がアンドゥと指称され、逆転された動作の反復された実行がリドゥと指称される。
【００１７】
更に、動作が逆転されるときに、動作の間に実行された構成要素の移動の動きの完全な逆順が実行されるように、動作を実行するために制御された駆動機構が自動的に制御されることは有利である。その結果として、既に実行された移動の動きの逆順のみがもたらされるので、患者の安全な移動が保証され、患者を危険に晒すかもしれないし、外科医により予見できないかもしれない異なる動きの順序は無い。
【００１８】
更に、それぞれの動作が実行される場合に有利であり、駆動機構の従動軸又はいくつかの駆動機構の従動軸の角度位置の変更の時間的経過及び／又は変更の速度の時間的経過、従動構成要素又はいくつかの従動構成要素の角度位置の変更の時間的経過及び／又は変更の速度の時間的経過が情報として検出されると共に保存され、動作が自動的に完全に逆転されるときに、その後、逆転される動作に対する動きの完全な逆順をそれ自身が自動的に実行するように、駆動機構又はいくつかの駆動機構が保存された情報に基づいて駆動される。従って、患者の望まれない移動が回避されるように、検出された情報により動きの同一の順序が動きの逆順で実際に実行されることが達成される。
【００１９】
更に、それぞれの動作が実行されるときに、駆動機構としての役割を果たすステッパ電動機のステップの順序及び／又はステップの順序の時間的経過が情報として検出されると共に保存される。動作が自動的に完全に逆転されるときに、ステッパ電動機は、保存された情報に基づいて、ステップの逆転された順序及び／又は回転の逆の方向に駆動される。このように、逆転される動作の間に構成要素の以前に実行された動きと逆の動きは簡単な方法で達成される。
【００２０】
その代わりに又は更に、それぞれの動作が実行されるときに、駆動機構としての役割を果たすリニア駆動の調整動作、調整移動、調整移動の時間的経過、調整速度及び／又は調整速度の時間的経過が情報として検出されると共に保存される。動作が逆転されるときに、リニア駆動は、少なくとも１つの構成要素が逆転される動作に対する動きの逆順を自動的に完全に実行するように、保存された情報に基づいて駆動される。
【００２１】
更に又はその代わりに、駆動機構の駆動の期間及び／又は駆動機構のために駆動された速度段が情報として検出されると共に保存される。この情報によって、駆動機構は、動きの逆順を容易に達成することができるように簡単な方法で駆動される。
【００２２】
特に、少なくとも１つの駆動機構及び／又は複数の駆動機構が制御要素を動かすことによりなされた操作入力に依存する制御機構により駆動される場合に有利である。このように、動作を逆転するために更に制御要素を動かすことにより駆動された制御要素によって動作がもたらされるときに、容易に動きの逆順が実行されるように、駆動機構の簡単な制御が可能となる。
【００２３】
特に、制御機構が実行された動作及び／又は実行された複数の動作のパラメータを保存する場合に有利である。このように、制御機構は、既に実行された動作を自動的に完全に逆転するための動きの逆順が実際に保証され、その結果として、患者が危険に晒されることが回避されることを容易に保証することができる。
【００２４】
特に、制御要素がリモコン、好ましくはワイヤレスリモコンによって利用可能になる場合に有利である。ここで、リモコンは、その代わりに又は更に、保存された情報によって既に実行された動作の自動的で完全な復元を安全に制御するために、実行された動作及び／又は実行された複数の動作のパラメータを保存することができる。その結果として、既存の手術台も、自動的に完全に動作を逆転するための創造性のある機能により改善される。
【００２５】
更に、第１の制御要素が動かされるときに、いくつかの動作が実行され、第２の制御要素が動かされるときに、いくつかの動作が自動的に予約順に完全に逆転されることは有利である。このように、患者が危険に晒されない動きの容易で安全な順序が達成される。
【００２６】
本発明の第２の態様は、制御要素によって調整が可能である複数の構成要素を備える手術台を操作するための装置に関する。装置は、少なくとも第１の制御要素を備え、その駆動に際して手術台の少なくとも第１の構成要素を調整するための少なくとも第１の駆動機構の第１の動作が実行される。装置は、第２の制御要素を備え、その駆動に際して第１の制御要素を動かすことにより実行された第１の動作が自動的に完全に逆転される。その結果として、逆転される動作を実行する以前に想定された手術台の構成要素の位置が容易に復元されるように、手術台の構成要素の動きの順序と患者の位置の変更とが容易に逆転されると共に再び解かれる。
【００２７】
特に、装置が手術台制御機構に動作の自動的で完全な復元についての対応する情報を転送する場合に有利である。このように、動作の自動的で完全な復元の機能は容易に実現される。
【００２８】
本発明の第２の態様による装置は、方法のために先に明示された有利な発展により発現され、特に、装置が手術台に接続されるときに前述の特徴が達成される。
【００２９】
本発明のその他の特徴及び利点は、添付された図面に関する実施の形態に基づいて本発明についてより詳細に説明する以下の説明から生じる。
【図面の簡単な説明】
【００３０】
【図１ａ】ワイヤレスリモコンによる利用が可能である制御要素によって調整が可能であるいくつかの構成要素を有する、開始位置における手術台を示す。
【図１ｂ】第１の調整位置における図１ａのリモコンと手術台を示す。
【図１ｃ】第２の調整位置における図１ａ及び１ｂのリモコンと手術台を示す。
【図１ｄ】第１の調整位置と第２の調整位置との間になされた構成要素の調整が逆転された後の図１ａ〜１ｃのリモコンと手術台を示す。
【図１ｅ】逆転された動作が繰り返して実行された後の図１ａ〜１ｄのリモコンと手術台を示す。
【図２】手術台の操作のためのリモコンの具体的な実施の形態を示す。
【発明を実施するための形態】
【００３１】
図１ａは、いくつかの制御要素１４〜２８を有し、それによって手術台３０の調整可能な構成要素３２〜４６を調整することができるリモコン１２を備える配置１０を示す。即ち、空間におけるそれらの位置及び／又は他の構成要素３２〜４６との関係を変更することができる。それぞれの構成要素３２〜４６又はこれらの構成要素３２〜４６のグループは、制御要素１４〜２４を動かすときに、この制御要素１４〜２４に割り当てられた構成要素又は構成要素のグループの対応する調整動作が実行されるように、リモコン１２の制御要素１４〜２４に割り当てられる。
【００３２】
リモコン１２の制御要素１４〜２４を介して操作入力を通信することにより、手術台３０の患者支持面３１は、図１ａに示される開始位置から図１ｂに示される第１の調整位置に調整される。ここで、構成要素３２〜４６は、手術台３０の患者支持面３１の構成要素３２〜４６が図１ｂに示される第１の調整位置をとるまで、患者支持面３１に統合された駆動機構によって回転軸４８、５０、５２、及び５４に対して回転される。このために、いくつかの操作入力は、リモコン１２の制御要素１４〜２４を介して行われる。その後、手術台３０の患者支持面３１の構成要素３２〜４６が図１ｃに示される第２の調整位置をとるまで、更に操作入力がリモコン１２の制御要素１４〜２４を介して行われる。このために、構成要素は、再び回転軸５６〜５８に対してだけでなく更に回転軸４８〜５４に対しても回転される。更に、患者支持面３１の高さが図１ｂに示された第１の調整位置から図１ｃに示された第２の調整位置に低下されるように、手術台支柱４０の高さが引用符号６０により識別された高さに下げられる。
【００３３】
図１ｃに示される位置にアンドゥボタン２６を動かすことにより、手術台３０の構成要素３２〜４６が図１ｄに示される第１の調整位置に再び存在するように、図１ｂに示される第１の調整位置から図１ｃに示される第２の調整位置への構成要素３２〜４６の位置の変更が自動的に完全に逆転される。続くリドゥボタン２８の操作により、構成要素３２〜４６の位置は、図１ｄに示される第１の調整位置から図１ｅに示される第２の調整位置に再び変更される。
【００３４】
説明された実施の形態では、ある期間の間に実行されたいくつかの操作動作は、１つの調整動作に組み合わされ、操作動作は、その後、アンドゥボタン２６が動かされるときに、動きの逆順で自動的に全て逆転される。本発明の他の実施の形態では、それぞれの操作入力ごとに、操作入力によりもたらされたそれぞれの構成要素３２〜４６を調整するための動作についての情報が保存され、その後、アンドゥボタン２６が動かされるときに、最後に実行された動作を逆転することが同様に可能であり、アンドゥボタン２６が繰り返して動かされるときに、以前に実行された動作が逆転される。操作動作のより詳細な細別及び実行された動作の対応する保存は、簡単な方法で様々な中間位置が自動的に復元されるという利点を有する。
【００３５】
図２には、リモコン１２に代えて使用することができるリモコン６２が示される。リモコン６２は、情報の表示のための画面６４を有する。更に、リモコン６２は、複数の制御要素６６〜１１２を有し、それらを介して手術台３０の構成要素３２〜４６の位置を変更するための様々な操作入力を便利な方法で入力することができる。これらの制御要素６６〜１１２によって、それぞれの構成要素３２〜４６の位置又はいくつかの構成要素３２〜４６の位置の同時変更を簡単に入力することができる。更に、リモコン６２は、リモコン１２及び図１ａ〜１ｅに関して先に説明されたものと同一の機能を有するアンドゥボタン２６とリドゥボタン２８とを有する。
【符号の説明】
【００３６】
１０  配置
１２、６２  リモコン
１４〜２８、６６〜１１２  制御要素
３０  手術台
３１  患者支持面
４０  手術台支柱
３２〜４６  手術台の構成要素
４８〜５８  回転軸
６０  高さ表示
６４  画面
【図１ａ】
2014204974.tif 000003
【図１ｂ】
2014204974.tif 000004
【図１ｃ】
2014204974.tif 000005
【図１ｄ】
2014204974.tif 000006
【図１ｅ】
2014204974.tif 000007
【図２】
2014204974.tif 000008
【外国語明細書】
2014204974000001.pdf